(57)【要約】【課題】  見やすくフォーカス調整が容易なフォーカス調整用信号を生成する。【解決手段】  映像信号の輝度信号から変換されたＲＧＢ信号のそれぞれに、輝度信号に対して垂直方向に低域通過フィルタをかけた後、水平方向に高域通過フィルタをかけて算出したＬＨ係数と、輝度信号に対して垂直方向に高域通過フィルタをかけた後、水平方向に低域通過フィルタをかけて算出したＨＬ係数と、輝度信号に対して垂直方向に高域通過フィルタをかけた後、水平方向に高域通過フィルタをかけて算出したＨＨ係数の各絶対値のいずれかを加算してフォーカス調整用のＲＧＢ信号を生成する。【選択図】  図１
2006058683.tif 000002
【特許請求の範囲】
【請求項１】
入力された映像信号から抽出した輝度信号のみを用いてＲＧＢフォーマットのフォーカス調整用信号を生成するフォーカス調整用信号生成装置であって、
前記輝度信号に基づきＲＧＢフォーマットのＲＧＢ信号を生成する白黒映像信号生成手段と、
前記輝度信号に基づき水平方向の高周波成分信号、垂直方向の高周波成分信号、及び斜め方向の高周波成分信号をそれぞれ分離出力する周波数フィルタ手段と、
前記白黒映像信号生成手段で生成された前記ＲＧＢ信号と前記周波数フィルタ手段から出力された前記３種類の高周波成分信号とをそれぞれ重複せずに加算する加算手段を具備して、高周波成分の画像部分に所定の色が着色されたフォーカス調整用のＲＧＢ信号を出力する
ように構成したフォーカス調整用信号生成装置。
【請求項２】
前記周波数フィルタ手段は、前記輝度信号に基づき低周波成分信号を更に分離出力し、
前記白黒映像信号生成手段は、前記低周波成分信号に基づきＲＧＢフォーマットのＲＧＢ信号を生成する
ように構成した請求項１に記載のフォーカス調整用信号生成装置。
【請求項３】
前記加算手段は、前記周波数フィルタ手段から分離出力された前記水平方向の高周波成分信号、前記垂直方向の高周波成分信号、及び前記斜め方向の高周波成分信号を加算する周波数成分加算手段と、この加算結果を入力として色相が変化するＲＧＢ信号を出力するようデータ構成したルックアップテーブル手段とを更に具備して、前記ルックアップテーブル手段から出力された前記色相が変化するＲＧＢ信号と前記白黒映像信号生成手段で生成された前記ＲＧＢ信号とをそれぞれ重複せずに加算する
ように構成した請求項１又は２に記載のフォーカス調整用信号生成装置。
【請求項４】
前記加算手段は、前記周波数フィルタ手段から分離出力された前記水平方向の高周波成分信号、前記垂直方向の高周波成分信号、及び前記斜め方向の高周波成分信号、並びに前記白黒映像信号生成手段で生成された前記ＲＧＢ信号のうち少なくとも１つの信号を加算し、前記ＲＧＢ信号のうち前記加算されなかった残りの信号はそのまま出力する
ように構成した請求項１又は２に記載のフォーカス調整用信号生成装置。
【発明の詳細な説明】
【技術分野】
【０００１】
本発明は、ビデオカメラや電子スチルカメラにおいてマニュアルでフォーカス調整を行うための映像信号を生成してビューファインダに表示するためのフォーカス調整用信号生成装置に関し、特に被写体の輪郭（エッジ）を画像処理するフォーカス調整用信号生成装置に関する。
【背景技術】
【０００２】
近年、ビデオカメラや電子スチルカメラで撮影できる解像度が大変高くなった。一方、撮影時に撮影される映像又は画像を撮影者が確認するためのビューファインダは、大きさが持ち運びのために制限されることなどにより、その表示できる解像度は撮影できる解像度に対して不十分なことが多くなった。このため、撮影者がビューファインダで映像の全体を見ながらフォーカスの調整を行うことが難しくなった。
【０００３】
そこで、フォーカス調整を容易にするための仕組みが提案されており、代表的なものとして拡大表示機能という、フォーカスを確認する場合にビューファインダに撮影映像の一部を拡大表示する機能がある（例えば下記の特許文献１を参照）。また、ビデオ信号の中高域成分を強調したり、中高域成分の量に比例したモアレを発生させたりする回路も数多く提案されている（例えば下記の特許文献２を参照）。また、カラー信号に水平方向の輪郭（エッジ）信号を加えて表示することにより、フォーカス調整時に色の水平方向のエッジ部の色変化が見えるようにしたものも提案されている（例えば下記の特許文献３を参照）。
【特許文献１】特開平７−２８４００３号公報（要約書）
【特許文献２】特開昭６２−２８５５８５号公報（第１図）
【特許文献３】特公平６−２８３９２号公報（請求項１）
【発明の開示】
【発明が解決しようとする課題】
【０００４】
しかしながら、特許文献１のような従来の拡大表示機能を用いると、撮影されている映像全体の構図を確認できなくなるという欠点がある。また、特許文献２のような中高域成分の強調（いわゆるピーキング）の場合、解像度が低い小型のディスプレイでは、パンフォーカス的な映像に見えるのでフォーカス調整が難しい。また、特許文献２の折り返しによるモアレを発生させる方式は、フォーカスの対象物が小さい場合、モアレ自体が十分に見えずフォーカス調整が難しい。さらに、ビューファインダ用映像信号処理回路は安価に実現しなければならないという要求が強いために少ない回路量で構成できなければならない。また、特許文献３では、フォーカス調整時に色のエッジ部の色変化が見えるようにしたので、かえってエッジ部が見にくいという問題点がある。
【０００５】
そこで本発明は、見やすくフォーカス調整が容易なフォーカス調整用信号を生成するフォーカス調整用信号生成装置を提供することを目的とする。
また、本発明は、小型の低解像度のディスプレイでも見やすくフォーカス調整が容易なフォーカス調整用信号を生成するフォーカス調整用信号生成装置を提供することを目的とする。
【課題を解決するための手段】
【０００６】
本発明のフォーカス調整用信号生成装置は上記目的を達成するために、
入力された映像信号から抽出した輝度信号のみを用いてＲＧＢフォーマットのフォーカス調整用信号を生成するフォーカス調整用信号生成装置であって、
前記輝度信号に基づきＲＧＢフォーマットのＲＧＢ信号を生成する白黒映像信号生成手段と、
前記輝度信号に基づき水平方向の高周波成分信号、垂直方向の高周波成分信号、及び斜め方向の高周波成分信号をそれぞれ分離出力する周波数フィルタ手段と、
前記白黒映像信号生成手段で生成された前記ＲＧＢ信号と前記周波数フィルタ手段から出力された前記３種類の高周波成分信号とをそれぞれ重複せずに加算する加算手段を具備して、高周波成分の画像部分に所定の色が着色されたフォーカス調整用のＲＧＢ信号を出力する
ように構成した。
【０００７】
また、本発明のフォーカス調整用信号生成装置は、
前記周波数フィルタ手段は、前記輝度信号に基づき低周波成分信号を更に分離出力し、
前記白黒映像信号生成手段は、前記低周波成分信号に基づきＲＧＢフォーマットのＲＧＢ信号を生成する
ように構成した。
【０００８】
また、本発明のフォーカス調整用信号生成装置は、
前記加算手段は、前記周波数フィルタ手段から分離出力された前記水平方向の高周波成分信号、前記垂直方向の高周波成分信号、及び前記斜め方向の高周波成分信号を加算する周波数成分加算手段と、この加算結果を入力として色相が変化するＲＧＢ信号を出力するようデータ構成したルックアップテーブル手段とを更に具備して、前記ルックアップテーブル手段から出力された前記色相が変化するＲＧＢ信号と前記白黒映像信号生成手段で生成された前記ＲＧＢ信号とをそれぞれ重複せずに加算する
ように構成した。
【０００９】
また、本発明のフォーカス調整用信号生成装置は
前記加算手段は、前記周波数フィルタ手段から分離出力された前記水平方向の高周波成分信号、前記垂直方向の高周波成分信号、及び前記斜め方向の高周波成分信号、並びに前記白黒映像信号生成手段で生成された前記ＲＧＢ信号のうち少なくとも１つの信号を加算し、前記ＲＧＢ信号のうち前記加算されなかった残りの信号はそのまま出力する
ように構成した。
【発明の効果】
【００１０】
本発明によれば、ビューファインダには被写体の輝度信号又は低周波成分による白黒映像のエッジ部分にＲＧＢのうち特定の色が付いて表示されるので、ユーザはこのエッジ部分の色が濃くなるように調整すればエッジがシャープになる方向にフォーカスが調整され、したがって、見やすく調整のし易いビューファインダのフォーカス調整ができるという効果がある。
【００１１】
また、ビューファインダに被写体の白黒映像のエッジ部分に様々な色を表示させて、ユーザがその色が最も濃くなるように色相を調整することで、エッジがシャープになる方向にフォーカス調整を行うことができ、これによっても見やすく調整のし易いビューファインダのフォーカス調整ができるという効果がある。
【００１２】
さらに、本発明によれば、撮影する映像の一部を拡大しないため、撮影される映像全体の構図を常時確認することが可能である。また、解像度が低い小型のディスプレイであっても、フォーカスを合わせたい部分のフォーカスリングを動かしたときの変化が分かりやすいのでフォーカス調整が容易に行えるという効果がある。さらにまた、本発明に係るフォーカス調整用信号生成装置の回路規模は小さいので、消費電力が小さく、特にハンディービデオカメラなどに応用するのに最適である。
【発明を実施するための最良の形態】
【００１３】
＜第１の実施の形態＞
以下、図面を参照して本発明の実施の形態について説明する。図１は本発明の第１の実施の形態に係るフォーカス調整用信号生成装置を示すブロック図である。本実施の形態では、ビデオカメラに搭載されることを想定し、入力信号をデジタル化されたＲＧＢフォーマットのＲＧＢ信号とし、ＲＧＢ信号をマトリクス部（ＲＧＢ→Ｙ）１により輝度成分であるＹ信号に変換してＤＷＴ（離散ウェーブレット変換）部２と乗算部３に出力する。ここで、例えば１９２０画素×１０８０ラインの高解像度（ＨＤ）の撮像画像をビューファインダ９に表示させた場合、ビューファインダ９の画素数が十分にあったとしても、ビューファインダ９の表示面積が小型であると、人間の目の解像度が不十分なために視覚的に差が現れないので、本実施の形態では、輝度信号による白黒映像のエッジ部分をカラーで表示させて操作者がエッジのシャープさを色の濃さとして見ながらフォーカス調整を行うようにしている。
【００１４】
図２は図１中のＤＷＴ部２を詳しく示すもので、ＤＷＴ部２は、積和演算によるデジタルフィルタで構成されている。まず、第１ＬＰＦにより垂直方向の５画素分のＹ信号Ｙ１、Ｙ２、Ｙ３、Ｙ４、Ｙ５に対して次式
ＬＨａ＝（−１×Ｙ１＋２×Ｙ２＋６×Ｙ３＋２×Ｙ４−１×Ｙ５）／８
により垂直方向の低周波成分（相対的な意味での低域成分、本願において同じ）を通過させ、次いで第１ＨＰＦにより水平方向の３画素分のＬＨａ１、ＬＨａ２、ＬＨａ３に対して次式
ＬＨ＝−１×ＬＨａ１＋２×ＬＨａ２−１×ＬＨａ３
により水平方向の高周波成分（相対的な意味での高域成分、本願において同じ）を通過させることにより、Ｙ信号の水平方向の高周波成分ＬＨ（以下、ＬＨ係数）を抽出する。
【００１５】
また、第２ＨＰＦにより垂直方向の３画素分のＹ信号Ｙ２、Ｙ３、Ｙ４に対して次式
ＨＬａ＝（−１×Ｙ２＋２×Ｙ３−１×Ｙ４）／２
により垂直方向の高周波成分を通過させる。次いで第２ＬＰＦにより水平方向の５画素分のＨＬａ１、ＨＬａ２、ＨＬａ３、ＨＬａ４、ＨＬａ５に対して次式
ＨＬ＝−１×ＨＬａ１＋２×ＨＬａ２＋６×ＨＬａ３＋２×ＨＬａ４−１×ＨＬａ５
により低周波成分を通過させることによりＹ信号の垂直方向の高周波成分ＨＬ（以下、ＨＬ係数）を抽出するとともに、第３ＨＰＦにより水平方向の３画素分のＨＬａ２、ＨＬａ３、ＨＬａ４に対して次式
ＨＨ＝−１×ＨＬａ２＋２×ＨＬａ３−１×ＨＬａ４
により高周波成分を通過させることによりＹ信号の斜め方向の高周波成分ＨＨ（以下、ＨＨ係数）を抽出する。
【００１６】
ただし、ＤＷＴ部２の出力は、Ｙ信号の画像位置と同じ位置のＬＨ係数、ＨＬ係数、ＨＨ係数が同時に出力され、Ｙ信号のデータの順番はビューファインダ９の表示に適した順番で行われるものとする。ＤＷＴ部２で用いるフィルタには任意の特性を選ぶことができるが、一般にＪＰＥＧ２０００の５／３フィルタとして知られているＦＩＲフィルタは構成が小さく回路化が容易である。
（下記文献：「わかりやすいＪＰＥＧ２０００の技術」、株式会社オーム社 ＩＳＢＮ４ −２７４−０７９５９−７）。
【００１７】
図１に戻り、乗算部３はＹ信号のレベルを例えば０．８倍などに小さくし、マトリクス部（Ｙ→ＲＧＢ）５は乗算部３の出力するＹ信号をＲＧＢ信号に変換し、Ｒ信号、Ｇ信号、Ｙ信号をそれぞれ加算部７Ｒ、７Ｇ、７Ｂに出力する。ここで、乗算部３の出力する信号はＹ成分のみであるので、これから変換したＲＧＢ信号のみをカラーのビューファインダ９に表示しても白黒映像が表示されるが、白黒映像は暗くしたほうがＬＨ、ＨＬ、ＨＨ係数によって色が着いたことが視認しやすいので、乗算部３による演算を行っている。ただし、暗くしすぎると撮影している被写体が見えにくくなるので調整できるようにすることが望ましい。乗算部３は固定の演算回路などであってもよく、また、ＣＰＵなどの制御部から何らかの係数を乗算するようにしてもよい。
【００１８】
絶対値部４ＬＨ、４ＨＬ、４ＨＨはＬＨ係数、ＨＬ係数、ＨＨ係数が正負の値であるので、図３に示すようにそれぞれＤＷＴ部２の出力するＬＨ係数、ＨＬ係数、ＨＨ係数の絶対値を出力する。非線形部６ＬＨ、６ＨＬ、６ＨＨはそれぞれ絶対値部４ＬＨ、４ＨＬ、４ＨＨの出力するＬＨ係数、ＨＬ係数、ＨＨ係数に対して、図４のように微小な成分を抑圧することでノイズの除去を行うとともに、各係数の量により重み付けを行うことにより強調量を変え、フォーカス調整しやすい映像信号にする。絶対値部４ＬＨ、４ＨＬ、４ＨＨと非線形部６ＬＨ、６ＨＬ、６ＨＨは、ルックアップテーブルなどにより１つの構成ブロックとしても実現できる。また、重み付け量も調整できるようにすることが望ましい。
【００１９】
加算部７Ｒ、７Ｇ、７Ｂはそれぞれ、マトリクス（Ｙ→ＲＧＢ）部５により変換されたＲＧＢ信号のそれぞれに、非線形部６ＬＨ、６ＨＬ、６ＨＨの出力を加算し、各加算信号Ｒ＋ＬＨ、Ｇ＋ＨＬ、Ｂ＋ＨＨをそれぞれリミッタ８Ｒ、８Ｇ、８Ｂを経由してビューファインダ９に出力する。なお、リミッタ８Ｒ、８Ｇ、８Ｂは図５に示すようにビューファインダ９の入力が過大になることを防ぐものであり、各信号のレベル設定が適切であれば不要である。これにより、Ｙ信号の映像にＬＨ係数、ＨＬ係数、ＨＨ係数の量に応じたＲＧＢ信号が加算されることになる。すなわちマトリクス部５の出力するＲＧＢ信号はビューファインダ９には輝度信号として表示されるので、ＬＨ係数に大きな成分があれば、対応した部分が赤色に表示される。同様にＨＬ係数が大きければ緑色に、ＨＨ係数が大きければ青色に表示される。なお、本実施の形態ではＬＨ係数をＲ信号、ＨＬ係数をＧ信号、ＨＨ係数をＢ信号として処理した例を示したが、係数とＲＧＢ信号の間の対応は任意である。
【００２０】
本発明と特許文献３に記載の発明とを比較すると、特許文献３はカラー信号に輪郭信号を加えているため表示装置では色のエッジ部の色が変化して見えるものの、変化の程度が見えにくい。本発明は白黒画像のエッジ部に特定の色が付き、その色の濃さでフォーカスを合わせるという違いがある。本発明は水平方向、垂直方向、斜め方向に周波数変化のない被写体のエッジ部以外には色が付かないので見やすく、フォーカス合わせしやすいという格別な効果がある。
【００２１】
＜第２の実施の形態＞
第１の実施の形態では、例えば１９２０画素×１０８０ラインの高解像度（ＨＤ）の撮像画像をそのまま同じ高解像度のビューファインダ９に表示する場合に好適であるが、例えば解像度が１／２の９６０画素×５４０ラインの標準解像度（ＳＤ）のビューファインダ９に表示されると、Ｙ信号から生成した白黒映像に折り返し歪みが発生して表示画像が見づらくなる。図６はＤＷＴ部２ａから出力される係数ＬＬを乗算部３に供給するようにした第２の実施の形態を示している。後述の図７は図６のＤＷＴ部２ａを詳しく示し、この構成では図２に示す構成に対してＬＬ係数を抽出するための第３ＬＰＦが追加されている。ＤＷＴ部２ａを除く他の構成（マトリクス部５を含む）は第１の実施の形態と同じであるのでその詳細な説明は省略する。
【００２２】
すなわち、第１ＬＰＦにより垂直方向の５画素分のＹ信号Ｙ１、Ｙ２、Ｙ３、Ｙ４、Ｙ５に対して次式
ＬＨａ＝（−１×Ｙ１＋２×Ｙ２＋６×Ｙ３＋２×Ｙ４−１×Ｙ５）／８
により垂直方向の低周波成分を通過させ、次いで第３ＬＰＦにより水平方向の５画素分のＬＨａ１、ＬＨａ２、ＬＨａ３、ＬＨａ４、ＬＨａ５に対して次式
ＬＬ＝−１×ＬＨａ１＋２×ＬＨａ２＋６×ＬＨａ３＋２×ＬＨａ４−１×ＬＨａ５
により水平方向の低周波成分を通過させることにより、Ｙ信号の低周波成分ＬＬのみを抽出する。他の構成は第１の実施の形態と同じであるのでその詳細な説明は省略する。
【００２３】
第２の実施の形態では、低周波成分ＬＬのみを有する映像はカラーのビューファインダ９には白黒映像として表示され、高域成分を有する映像は第１の実施の形態と同様に表示される。第２の実施の形態によれば、輝度信号に水平方向及び垂直方向の低域通過フィルタ（第１ＬＰＦ、第３ＬＰＦ）をかけて得られたＬＬ係数を白黒映像として用いることにより、解像度が不十分なビューファインダ９に表示しても折り返し歪みによる影響が少なくなり、映像を確認しやすくできる。また、高域のノイズの影響が少なくなるので、撮影者の目の疲労を少なくできる。
【００２４】
ここで、ＪＰＥＧ２０００で用いられているウェーブレット変換では、原画を５／３フィルタで各係数に分けた後、水平、垂直共に１／２に間引きを行っても原画の全情報が保存されることが知られている。そこで、ＤＷＴ部２ａの各出力係数ＬＬ、ＬＨ、ＨＬ、ＨＨを水平、垂直方向に１／２に間引き（サブサンプリング）を行うことによりビューファインダ９に表示する画像のサイズを小さくすることができるので、例えば１９２０画素×１０８０ラインのＨＤ画像から９６０画素×５４０ラインのビューファインダ表示用画像を得ることができる。
【００２５】
＜第３の実施の形態＞
ここで、図８（ａ１）（ａ２）（ａ３）はそれぞれ水平方向、斜め方向、垂直方向に周波数変化のある入力Ｙ信号（原画）の例を示し、図８（ａ１）は水平方向の１画素ごとに白と黒が繰り返す四角形の縦縞パターンを、図８（ａ２）は図８（ａ１）に示す縦縞パターンを４５°左に回転した斜め縞パターンを、図８（ａ３）は図８（ａ１）に示す縦縞パターンを９０°左に回転した横縞パターンを示す。図８（ｂ１）（ｂ２）（ｂ３）はそれぞれ図８（ａ１）（ａ２）（ａ３）に示す原画に対する水平方向のＬＨ成分（Ｒ画像）を示し、図８（ａ１）に示す縦縞パターンは図８（ｂ１）に示すように四角形全体にＲが表示され、図８（ａ２）に示す斜め縞パターンは図８（ｂ２）に示すようにＲ成分が四角形全体に斜め方向に存在し、図８（ａ３）に示す横縞パターンは図８（ｂ３）に示すように四角形の左右の縦エッジのみにＲ成分が存在する。
【００２６】
図８（ｃ１）（ｃ２）（ｃ３）はそれぞれ図８（ａ１）（ａ２）（ａ３）に示す原画に対する垂直方向のＨＬ成分（Ｇ画像）を示し、図８（ａ１）に示す縦縞パターンは図８  （ｃ１）に示すように四角形の上下の横エッジのみにＧ成分が存在し、図８（ａ２）に示す斜め縞パターンは図８（ｃ２）に示すようにＧ成分が四角形全体に斜め方向に存在し、図８（ａ３）に示す横縞パターンは図８（ｃ３）に示すように四角形全体にＧが表示される。図８（ｄ１）（ｄ２）（ｄ３）はそれぞれ図８（ａ１）（ａ２）（ａ３）に示す原画に対する斜め方向のＨＨ成分（Ｂ画像）を示し、図８（ａ１）に示す縦縞パターン及び図８（ａ３）に示す横縞パターンはＢ成分が存在せず、図８（ａ２）に示す斜め縞パターンは図８（ｄ２）に示すようにＢ成分が四角形全体に斜め方向に存在する。
【００２７】
図８（ｅ１）（ｅ２）（ｅ３）はそれぞれ図８（ａ１）（ａ２）（ａ３）に示す原画をカラーのビューファインダ９に表示した画像を示し、図８（ａ１）に示す縦縞パターンは図８（ｅ１）に示すように四角形のパターン全体がＲで、かつ上下の横エッジがＧで表示され、図８（ａ２）に示す斜め縞パターンは図８（ｅ２）に示すように四角形内にＲＧＢが混在して縞の斜め方向に表示され、図８（ａ３）に示す横縞パターンは図８（ｅ３）に示すように四角形のパターン全体がＧで、かつ左右の縦エッジがＲで表示される。
【００２８】
図８（ｅ２）で分かるように高周波成分が多い部分に様々な色（図８（ｅ２）のＲ＋Ｇ＋Ｂ）が付いて見える。フォーカスリングを回してこの色が最も濃く見える位置が高周波成分が最も多い状態であり、フォーカスがとれた状態である。しかし、色の濃さの変化量は小型液晶ディスプレイのように色分解能が６ビットといった表示デバイスでは判断し難い場合もある。そこで、高周波成分の量の違いを色相の違いに変換して表示するようにしたのが図９に示す第３の実施の形態である。
【００２９】
図９では、非線形部６ＬＨ、６ＨＬ、６ＨＨの後段に加算部７とルックアップテーブル（ＬＵＴ）１０が追加され、ＬＨ係数、ＨＬ係数、ＨＨ係数の各々の絶対値を加算部７により加算し、ルックアップテーブル１０により加算データの大きさに対応したＲＧＢ信号に変換する。ルックアップテーブル１０で得られたＲＧＢ信号は加算部７Ｒ、７Ｇ、７Ｂでそれぞれ、マトリクス部５によりＬＬ係数（又は輝度信号）から分解したＲＧＢ信号に加算されて表示画像を生成する。
【００３０】
図１０、図１１はルックアップテーブル１０の入出力の関係の２つの例をそれぞれ示す。図１０は入力の大きさに対して色相が変化するものでサーモグラフィーの画像のようになり、煩わしい場合がある。図１１は第３の実施の形態に用いたものであり、色相だけでなく色の濃さも同時に変化するようにした例である。このようにルックアップテーブル１０を構成すると直感的にフォーカスが合う位置を、より判断しやすくできる。
【００３１】
＜第４の実施の形態＞
第１、第２の実施の形態の場合、図８（ｅ２）から分かるように細かい絵柄には様々な色が入り乱れた状態となり見づらい場合がある。これを見やすくするために単色だけを強調するようにしたのが図１２に示す第４の実施の形態である。図１２では、マトリクス部５によりＬＬ係数（又は輝度信号）から分解したＲＧＢ信号の内、Ｒ信号、Ｇ信号はそのままビューファインダ９に印加されるとともに、Ｂ信号はＬＨ係数、ＨＬ係数、ＨＨ係数の各々の絶対値を加算した信号に加算する。なお、図１２ではＢ信号に加算しているが、Ｇ信号とＢ信号に加算するなど、加算するＲＧＢ信号はいずれか１つの信号でも複数の信号であってもかまわない。
【図面の簡単な説明】
【００３２】
【図１】本発明の第１の実施の形態のフォーカス調整用信号生成装置を示すブロック図である。
【図２】図１のＤＷＴ（離散ウェーブレット変換）部を詳しく示すブロック図である。
【図３】図１の絶対値部の処理を示す説明図である。
【図４】図１の非線形部の処理を示す説明図である。
【図５】図１のリミッタの処理を示す説明図である。
【図６】本発明の第２の実施の形態のフォーカス調整用信号生成装置を示すブロック図である。
【図７】図６のＤＷＴ（離散ウェーブレット変換）部を詳しく示すブロック図である。
【図８】入力画像の一例と、そのＬＨ成分、ＨＬ成分、ＨＨ成分、ビューファインダ画像を示す説明図である。
【図９】本発明の第３の実施の形態のフォーカス調整用信号生成装置を示すブロック図である。
【図１０】図９のルックアップテーブルの処理例を示す説明図である。
【図１１】図９のルックアップテーブルの処理例を示す説明図である。
【図１２】本発明の第４の実施の形態のフォーカス調整用信号生成装置を示すブロック図である。
【符号の説明】
【００３３】
１、５  マトリクス部
２、２ａ  ＤＷＴ（離散ウェーブレット変換）部
３  乗算部
４ＬＨ、４ＨＬ、４ＨＨ  絶対値部
６ＬＨ、６ＨＬ、６ＨＨ  非線形部
７Ｒ、７Ｇ、７Ｂ、７  加算部
８Ｒ、８Ｇ、８Ｂ、８  リミッタ
９  ビューファインダ
１０  ルックアップテーブル（ＬＵＴ）
【図１】
2006058683.tif 000003
【図２】
2006058683.tif 000004
【図３】
2006058683.tif 000005
【図４】
2006058683.tif 000006
【図５】
2006058683.tif 000007
【図６】
2006058683.tif 000008
【図７】
2006058683.tif 000009
【図８】
2006058683.tif 000010
【図９】
2006058683.tif 000011
【図１０】
2006058683.tif 000012
【図１１】
2006058683.tif 000013
【図１２】
2006058683.tif 000014